(57)【要約】【課題】  簡単な設備で不透明な容器の胴部に透明な窓部を設けるとともに、窓部を必要に応じて開閉できるようにすることによって、容器内の内容物の状況を外部から視認できるとともに、長時間の感光により変質するような内容物を保護できる窓付き容器を提供すること。【解決手段】  容器として、胴部に、容器外から内部を視認できる窓部が設けられている容器であって、容器本体が透明または半透明の合成樹脂によって形成され、容器本体の外周面に、透明または半透明の窓部が設けられた不透明の装飾面が形成され、容器本体の外周面の一部に、窓部を覆うように不透明の貼着シートを着脱自在に貼着したことを特徴とする。【選択図】  図１
2006273332.tif 000002
【特許請求の範囲】
【請求項１】
胴部に、容器外から内部を視認できる窓部が設けられている容器であって、
容器本体が透明または半透明の合成樹脂によって形成され、
容器本体の外周面に、透明または半透明の窓部が設けられた不透明の装飾面が形成され、
容器本体の外周面の一部に、窓部を覆うように不透明の貼着シートを着脱自在に貼着したことを特徴とする容器。
【請求項２】
胴部に、容器外から内部を視認できる窓部が設けられている容器であって、
容器が透明または半透明の合成樹脂により形成された外容器と、内容器とを具えた二重容器であり、
外容器の外周面に、透明の窓部が設けられた不透明の装飾面が形成され、
外容器の外周面の一部に、窓部を覆うように不透明の貼着シートを着脱自在に貼着したことを特徴とする容器。
【請求項３】
外容器が内容器に廻動可能に係合されることを特徴とする請求項２記載の容器。
【請求項４】
内容器の外面の外容器の窓部から視認できる位置に、表示部を設けたことを特徴とする請求項２または３記載の容器。
【請求項５】
貼着シートが、一方につまみ部が設けられた不透明のシート部の裏面に、粘着層と、容器本体または外容器の装飾面に接着される接着部が設けられ、接着部を支点に容器の窓部を開閉することを特徴とする請求項１〜４項のいずれかに記載の容器。
【発明の詳細な説明】
【技術分野】
【０００１】
本発明は、窓付き容器、とくに容器の胴部に窓部を設けた容器に関するものである。
【背景技術】
【０００２】
不透明な外容器（５）の胴部（２）の一部に透明な窓部（１６）を形成し、容器の外部より容器内を視認できるようにした容器は、従来より知られている（例えば、特許文献１参照）。
【特許文献１】特開平９−３０５７７号公報
【発明の開示】
【発明が解決しようとする課題】
【０００３】
しかしながら、上記の容器では、不透明な外容器（５）の胴部（２）の一部に透明な窓部（１６）が形成されているため、内容物が長時間の感光により変質するものでは、窓部（１６）から光が入り、内容物が変質するという問題があった。
【０００４】
本発明は、上記問題を解決することを課題として、簡単な設備で不透明な容器の胴部に透明な窓部を設けるとともに、窓部を必要に応じて開閉できるようにすることによって、容器内の内容物の状況を外部から視認できるとともに、長時間の感光により変質するような内容物を保護できる窓付き容器を提供することを目的とする。
【課題を解決するための手段】
【０００５】
本発明は、上記の課題を解決するため、容器として、胴部に、容器外から内部を視認できる窓部が設けられている容器であって、容器本体が透明または半透明の合成樹脂によって形成され、容器本体の外周面に、透明または半透明の窓部が設けられた不透明の装飾面が形成され、容器本体の外周面の一部に、窓部を覆うように不透明の貼着シートを着脱自在に貼着したことを特徴とする構成を採用する。
【０００６】
二重容器として、胴部に、容器外から内部を視認できる窓部が設けられている容器であって、容器が透明または半透明の合成樹脂により形成された外容器と、内容器とを具えた二重容器であり、外容器の外周面に、透明の窓部が設けられた不透明の装飾面が形成され、外容器の外周面の一部に、窓部を覆うように不透明の貼着シートを着脱自在に貼着したことを特徴とする構成を採用する。
【０００７】
二重容器の実施例として、外容器が内容器に廻動可能に係合されることを特徴とする構成を採用し、さらに、内容器の外面の外容器の窓部から視認できる位置に、表示部を設けたことを特徴とする構成を採用する。
【０００８】
貼着シートの実施例として、貼着シートが、一方につまみ部が設けられた不透明のシート部の裏面に、粘着層と、容器本体または外容器の装飾面に接着される接着部が設けられ、接着部を支点に容器の窓部を開閉することを特徴とする構成を採用する。
【発明の効果】
【０００９】
本発明は、透明または半透明の合成樹脂により容器本体を形成し、容器本体の外周面に透明または半透明の窓部が設けられた不透明の装飾面を形成することにより、容器外から内部を視認できるようになった。
また、容器の窓部に、不透明の貼着シートを着脱自在に貼着したことにより、容器の窓部を開閉することができるようになった。
【００１０】
容器を内容器と外容器とで形成し、廻動可能に係合させることで、外容器の外から窓部を介して内容器に配設された表示部を視認することができ、容器としての表示効果を高めることができるようになった。
【発明を実施するための最良の形態】
【００１１】
次に、本発明の容器の実施形態について、実施例をあげ、図面を参照して説明する。
【実施例１】
【００１２】
本発明の第１実施例について説明する。
図１において、Ａは内容物を収納する容器本体、Ｂは容器本体Ａの口部に取着されたポンプ、Ｃは取付キャップ、Ｄは容器本体Ａに貼着された貼着シートである。
【００１３】
図１、２に示すように、容器本体Ａは、透明または半透明の合成樹脂によって形成され、口筒部１と肩部２、胴部３、底部４とからなり、口筒部１外周には、取付キャップＣを取着するねじ５が螺設されている。
底部４には、不透明の合成樹脂により形成された底蓋６が取着されている。
【００１４】
胴部３の側周表面には、転写、印刷、塗装、蒸着などにより、遮光性を有する不透明の商品表示や模様などの装飾が施された装飾面７が形成され、装飾面７の一部には、透明または半透明の窓部８が設けられている。
【００１５】
図１に示すように、ポンプＢは、取付キャップＣによって容器本体Ａの口筒部１に取着されており、その上端には、吐出ノズル１０が連設されている。
ポンプＢは、従来公知のピストンとシリンダーを具えており、シリンダーの下端には、吸込みパイプが垂設されている。
【００１６】
図１、３に示すように、貼着シートＤは、一方につまみ部１５が設けられた遮光性がある不透明のシート部１６によって、容器本体Ａの胴部３の窓部８を覆うように形成されている。
シート部１６の裏面には、粘着層１７と、容器本体Ａの装飾面７に接着される接着部１８が設けられ、貼着シートＤは、粘着層１７および接着部１８により容器本体Ａの窓部８を覆うように装飾面７に貼着される。
【００１７】
次に、本実施例容器の使用態様と作用効果について説明する。
本実施例の容器の使用にあたっては、吐出ノズル１０を押下操作すると、内容物がポンプＢによって容器本体Ａ内から吸上げられ、吐出ノズル１０から吐出することができる。
【００１８】
本実施例の容器は、容器本体Ａの胴部３に貼着された貼着シートＤのつまみ部１５を手指でつまみ、図４（ｂ）に示すように、接着部１８を支点にして粘着層１７を剥離すると、窓部８より容器本体Ａ内の内容物を視認することができ、内容物の残量や状態を容器外より確認することができる。
【００１９】
また、容器本体Ａ内の内容物を視認の必要がないときには、貼着シートＤを粘着層１７により、再び、窓部８を覆うように貼着し直すことができる。
このことにより、本実施例の容器は、遮光性が優れているため、容器本体Ａ内の内容物が長い時間の感光により変質するようなものであっても、利用することができ、容器内の内容物を最後まで安全に使用することができる。
【００２０】
上記実施例では、容器本体Ａ内に内容物を直接収納したが、従来例のように、容器内に可撓性に富む合成樹脂製の内袋状容器を取着する二重容器として内袋状容器内に内容物を収納してもよい。
この場合は、遮光性が優れているばかりではなく、内容物を使用しているとき、内袋状容器が潰れて見苦しい状態になっても、貼着シールを剥離しないときは、前記内袋状容器は外部から見えない。
【実施例２】
【００２１】
次に、容器を内容器と外容器とからなる二重容器とした第２実施例について説明する。
図５において、Ｅは内容物を収納する内容器、Ｆは外容器、Ｂａは内容器Ｅの口部に取着されたポンプ、ＧはポンプＢａを内容器Ｅに取着し、外容器Ｆを取着する取付キャップ、Ｄａは外容器Ｆに貼着された貼着シートである。
【００２２】
図５、６に示すように、内容器Ｅは、透明または半透明の合成樹脂により形成され、口筒部２０と肩部２１、胴部２２、底部２３とからなり、口筒部２０外周には、取付キャップＧを取着するねじ２４が螺設されている。
【００２３】
胴部２２の側周表面には、転写、印刷、塗装、蒸着などで装飾される上下一定巾の表示部２５が配設されている。
表示部２５には、円周の一定部分を占める商品表示やキャラクターなどの装飾が施された表示２５ａと、装飾されないで残された透明部２５ｂが設けられている。
【００２４】
図５、７に示すように、外容器Ｆは、透明または半透明の合成樹脂によって形成され、外筒壁３０と、底壁３１とからなり、外筒壁３０の上端内周面には、取付キャップＧと係合する係合部３２が設けられている。
【００２５】
外容器Ｆの外面には、転写、印刷、塗装、蒸着などにより、遮光性を有する不透明の装飾面３３が形成され、装飾面３３の一部には、表示部２５の上下巾以上の高さを有し、表示２５ａを視認できる透明または半透明の窓部３４が設けられている。
また、前記装飾面３３に、商品表示や模様を施してもよい。
【００２６】
図５に示すように、ポンプＢａは、取付キャップＧにより内容器Ｅの口筒部２０に取着されており、その上端には、吐出ノズル３５が連設されている。
ポンプＢａは、従来公知のピストンとシリンダーを具えており、シリンダーの下端には、吸込みパイプが垂設されている。
【００２７】
取付キャップＧは、内筒４０と、内筒４０上端から連設される肩部４１と、肩部４１の端部から垂設される外筒４２とからなっている。
内筒４０の内周には、内容器Ｅの口筒部２０のねじ２４に螺合するねじ４３が設けられている。
外筒４２の外周には、外容器Ｆの係合部３２と廻動可能に係合する係合部４４が設けられている。
【００２８】
実施例では、係合部３２と係合部４４を全周にわたって設けているが、係合部４４を短い凸条とし、係合部３２を長い凹溝として、外容器Ｆの廻動範囲を規制するようにしてもよく、また、係合部４４を長い凹溝、係合部３２を短い凸条と、凹溝、凸条を逆にしてもよい。
【００２９】
図５に示すように、貼着シートＤａの構成は、外容器Ｆの窓部３４を覆うように装飾面３３に貼着されること以外は、実施例１と同様であるので、添字ａを付して図示し、詳しい説明は省略する。
【００３０】
次に、本実施例の使用態様と作用効果について説明する。
本実施例の容器の使用にあたっては、実施例１と同様に、吐出ノズル３５を押下操作すると、内容物がポンプＢａによって内容器Ｅ内から吸上げられ、吐出ノズル３５から吐出することができる。
【００３１】
本実施例の容器は、外容器Ｆの外筒壁３０外面に貼着された貼着シートＤａのつまみ部１５ａを手指でつまみ、図８（ｂ）に示すように、接着部１８ａを支点にして粘着層１７ａを剥離させると、装飾面３３の窓部３４を通して、外容器Ｆ内にある内容器Ｅを視認することができ、外容器Ｆの窓部３４から、内容器Ｅの胴部２２の表示部２５を見ることができる。
【００３２】
外容器Ｆは、取付キャップＧに廻動可能に係合しているので、外容器Ｆを廻動させ、廻動角度を選択することによって、内容器Ｅ内の内容物の残量や状態を確認することができる表示部２５の透明部２５ｂと、商品表示などの表示部２５の表示２５ａとを、外容器Ｆの窓部３４から視認することができる。
【００３３】
また、表示部２５の表示２５ａに、形や動きの違うキャラクターを描くことで、外容器Ｆの窓部３４から、外容器Ｆの回転角度で違ったキャラクターを見ることもできる。
例えば、表示２５ａとして、物語や４コマ漫画などを描いて、１コマごとに楽しむことや、パラパラまんがなどを描いて、外容器Ｆを回転させてキャラクターの動きを楽しむこともできる。
【００３４】
外容器Ｆ内の視認をしないときには、貼着シートＤａを粘着層１７ａにより、再び、窓部３４を覆うように装飾面３３に貼着し直すことができる。
【００３５】
前記各実施例では、容器の形態として、内容物を容器内からポンプで吸い上げているが、取付キャップに注出口を設け、容器の胴部をスクイズ可能なものとし、容器の胴部を押圧して注出口より吐出させるようにしてもよい。
【産業上の利用可能性】
【００３６】
本発明は、容器の一部に容器外から内部を視認できる窓部を設け、該窓部に不透明の貼着シートを着脱自在に貼着することにより、容器の窓部を開閉することができるので、内容物の状態を視認できるとともに、内容物の長い時間の感光による変質を防止でき、化粧品、薬品、その他の容器として広く利用できる。
【００３７】
さらに、容器を内容器と外容器とで形成し、廻動可能に係合させることで、容器としての表示効果やプレミアム性を高めることができる。
【図面の簡単な説明】
【００３８】
【図１】本発明第１実施例の容器の説明図である。
【図２】第１実施例の容器本体の断面図である。
【図３】第１実施例の貼着シートの説明図である。
【図４】第１実施例の貼着シートの説明図で、（ａ）は貼着時、（ｂ）は剥離時の説明図である。
【図５】本発明第２実施例の容器の説明図である
【図６】第２実施例の内容器の断面図である。
【図７】第２実施例の外容器の断面図である。
【図８】第２実施例の貼着シートの説明図で、（ａ）は貼着時、（ｂ）は剥離時の説明図である。
【符号の説明】
【００３９】
Ａ          容器本体
Ｂ、Ｂａ    ポンプ
Ｃ、Ｇ      取付キャップ
Ｄ、Ｄａ    貼着シート
Ｅ          内容器
Ｆ          外容器
１、２０    口筒部
２、２１    肩部
３、２２    胴部
４、２３    底部
５、２４、４３  ねじ
６          底蓋
７、３３    装飾面
８、３４    窓部
１０、３５  吐出ノズル
１５、１５ａ  つまみ部
１６、１６ａ  シート部
１７、１７ａ  粘着層
１８、１８ａ  接着部
２５        表示部
２５ａ      表示
２５ｂ      透明部
３０        外筒壁
３１        底壁
３２、４４  係合部
４０        内筒
４１        肩部
４２        外筒
【図１】
2006273332.tif 000003
【図２】
2006273332.tif 000004
【図３】
2006273332.tif 000005
【図４】
2006273332.tif 000006
【図５】
2006273332.tif 000007
【図６】
2006273332.tif 000008
【図７】
2006273332.tif 000009
【図８】
2006273332.tif 000010